(57)【要約】【課題】  ベースのゲートを通過する遊技球を流路変更板と、ゲートから中央スタートチャッカーまで釘の配列で誘導してチャッカーに入賞可能、また遊技球をその釘の間隔を通じて落下させて入賞球受入口に入賞可能とする。【解決手段】  遊技盤と、センター液晶デジタル装置と、該液晶デジタル装置の下方に設けられるスタートチャッカーと、アタッカーと、前記液晶デジタル装置の両側あるいは片側に設けられたベースに近接スイッチを挿入設置したゲートと、前記遊技盤に配列された前記ゲートから前記チャッカーまで遊技球を導くための釘と、前記ベースに取付けられた左右に誘導する流路に落ちた遊技球を中央スタートチャッカーの方へ勢いをつけて排出させる流路変更板とを備え、前記ゲートとチャッカー間の釘は斜めにずらし、かつ釘の間隔は遊技球が通る間隔にし、釘の間を通った球が入賞しうる入賞球受入口を配設したパチンコ機。【選択図】    図８
2004237120.tif 000002
【特許請求の範囲】
【請求項１】
遊技球を流下させるための遊技盤と、
前記遊技盤に設けられたセンター液晶デジタル装置と、
前記センター液晶デジタル装置の下方に設けられ、遊技球が入賞すると、前記センター液晶デジタル装置の数字、絵が変動停止するスタートチャッカーと、
前記変動停止の結果大当たりとなった場合に所定時間開放するアタッカーと、
前記センター液晶デジタル装置の両側あるいは片側に設けられた樹脂製のベースに遊技球の通過を検知してスタートチャッカー開閉を決めるミニデジタル器にスタート信号を送る近接スイッチを挿入設置したゲートと、
前記遊技盤に配列された前記ゲートから前記チャッカーまで前記遊技球を導くための釘と、
前記ベースの中心線に対し左側又は右側に所定角度傾斜させ取付けられた左右に誘導する流路に落ちた遊技球を左又は右の方向づけをして中央スタートチャッカーの方へ勢いをつけて排出させる流路変更板と、
を備え、
前記ゲートとチャッカー間の釘は斜めにずらし、かつ釘の間隔は遊技球が通る間隔にし、前記釘の間を通って落下した遊技球が下方の入賞球受入口に入賞することが可能に前記入賞球受入口を配設したことを特徴とするパチンコ機。
【発明の詳細な説明】
【技術分野】
【０００１】
この発明はパチンコ機の従来機、ＣＲ機等の遊戯板面に設けてあるゲートを通過する遊戯球を左右に誘導する流路変更板を左右に回動して流路の傾斜を反対向きに変えうる流路変更板付ゲートを備えたパチンコ機に関する。
【背景技術】
【０００２】
パチンコ機の従来機、ＣＲ機では中央の役物、例えばセンター液晶デジタル装置の両側、或いは片側に設けたゲートを遊戯球が通過すると、スタートチャッカーの開閉時間を決めるミニデジタル器の数字が変動し、所定の数字、例えば、３、７で止まると、センター液晶デジタル装置の下方の中央スタートチャッカーが所定時間開放され、そのチャッカーに遊戯球が入賞するとセンター液晶デジタル装置に表示された数字、絵等が変動して停止し、大当たりすると下部のアタッカーが所定時間開放されるものがある。
【０００３】
この従来のミニデジタル器の始動用のゲート１０２は、図９に示すようにベース１０１に断面コ字型飾り盤を設けて遊戯球を通過させる円形のガイド孔を設けた近接スイッチを取り付け、そのガイド孔の下方に球を左側又は右側に斜めに流出させるように釘１０３を山型に配列して打ち、それから中央スタートチャッカーＣの方へ遊戯球を導くために多数の釘１０４を一列に細かく隣接して配列し、ゲートより落下した球をスタートチャッカーの方へ導き、チャッカーに入賞しうるようにしてある。
【発明の開示】
【発明が解決しようとする課題】
【０００４】
従来のゲートでは、中央の役物の左側又は右側のゲートに対応して山型に配列する釘を図９に示すように左寄り又は右寄りに打たねばならないので、釘の位置決めをその都度しなければならず、甚だ手間がかかり不都合であった。又、ガイド孔から落下する球がこの山型に配列した釘に当たってその衝撃で球速が減速してしまい、球が釘の隙間より落下しようとするので、中央スタートチャッカーの方へ遊戯球を導くために多数の釘を細かく隣接して配列して球が釘に沿って転動するようにしなければならず、山型の釘と多数隣接する釘を並べること、多数の釘の間隔のゲージ調整が面倒で手間がかかり、釘を中央チャッカーに向けて両側よりＶ字状に並べるため外観が貧弱で興趣を欠き、しかも図のように遊戯盤の中央部で釘を斜め一列に隣接して設けると球の落ちる隙間がなく、他から転動する打球までもがこの一列の釘で受け止められてしまい、下方の入賞球受入れ口には球が回りにくく興味をそがれていた。
【課題を解決するための手段】
【０００５】
この発明の請求項１のパチンコ機は、遊技球を流下させるための遊技盤と、
前記遊技盤に設けられたセンター液晶デジタル装置と、
前記センター液晶デジタル装置の下方に設けられ、遊技球が入賞すると、前記センター液晶デジタル装置の数字、絵が変動停止するスタートチャッカーと、
前記変動停止の結果大当たりとなった場合に所定時間開放するアタッカーと、
前記センター液晶デジタル装置の両側あるいは片側に設けられた樹脂製のベースに遊技球の通過を検知してスタートチャッカー開閉を決めるミニデジタル器にスタート信号を送る近接スイッチを挿入設置したゲートと、
前記遊技盤に配列された前記ゲートから前記チャッカーまで前記遊技球を導くための釘と、
前記ベースの中心線に対し左側又は右側に所定角度傾斜させ取付けられた左右に誘導する流路に落ちた遊技球を左又は右の方向づけをして中央スタートチャッカーの方へ勢いをつけて排出させる流路変更板と、
を備え、
前記ゲートとチャッカー間の釘は斜めにずらし、かつ釘の間隔は遊技球が通る間隔にし、前記釘の間を通って落下した遊技球が下方の入賞球受入口に入賞することが可能に前記入賞球受入口を配設したことを特徴とする。
【発明の効果】
【０００６】
この発明のパチンコ機によれば、ゲートのガイド孔より落下する球を流路変更板の傾斜状流路で左又は右への勢いを付けて流出できる。従って、この流路変更板の作用で流出した球はゲートからチャッカー間の釘が少なくても釘で跳ねてチャッカーに向かわせることができ、また、他から流れる球速のない球は釘間から下方に落下する機会を与えて下方の入賞球受入れ口への入賞の機会を増加でき、遊戯盤の中央の釘の配置のデザインに変化をもたせることができ、遊戯者の興趣を増大できる。
【発明を実施するための最良の形態】
【０００７】
この発明の実施の形態は、ベース１の上部に設けたゲート３にガイド孔２を有する近接スイッチ１２を備え、ガイド孔２を遊戯球が通過すると、スタートチャッカーの開閉時間を決めるミニデジタル器の数字が変動し、所定の数字、例えば、３、７で止まると、役物の下方の中央スタートチャッカーが所定時間開放され、そのチャッカーに遊戯球が入賞すると役物の数字、絵が変動停止し、大当たりで下部のアタッカーが所定時間開放されるようにしてある。このゲート３を設けたベース１に遊戯球を左又は右に誘導する湾曲流路５を形成した流路変更板４を下部の貫通孔８にねじ又はピン等支軸６を挿入してベース１の取付け孔９に取着して回動自由に軸支し、かつ流路変更板４を所定角度の左又は右傾斜の位置で固定するためベース１の前記中心線の対称位置に流路変更板４を止める取付け孔１１を設け、この流路変更板４を下部の軸６を中心として左又は右に回動し所定角度に傾斜して位置決めしてベース１の取付け孔１１と流路変更板４の上部の取付け孔１０をビス７等固定手段で固定して、左向き用、右向き用とする。
【０００８】
この流路変更板４をパチンコ機の遊戯盤Ａのセンターの役物の右側に取付ける場合、流路変更板４を右側へ傾斜させ、また左側に取付ける場合には流路変更板４を左側へ傾斜させて固定し、ゲート３のガイド孔２を通過する遊戯球を流路変更板４の流路５が滑り台状となって左又右に勢いをつけて排出し、中央スタートチャッカーＣの方へ遊戯球を勢いをつけて導き、ゲート３のガイド孔２を通過した際にミニデジタル器の数字が所定の数字となった時に所定時間開放されるスタートチャッカーに流路変更板より流出する球が入賞しうるようにしてある。
【０００９】
流路変更板４の両面の流路を対称な傾斜面、湾曲面とし、かつそのガイド孔２の中心線上に枢支して左右対称に設ければ、遊戯盤Ａのセンターの役物の右側又は左側に左右対称の傾斜角度で取付けできる。
【実施例】
【００１０】
以下にこの発明を図面に示す実施例に基づいて説明する。
図１乃至図４において、１は合成樹脂製ベースで、その上部に近接スイッチ１２用の貫通孔１３、ベースの取付け孔１４を設ける。３は上部の断面コ字形部に遊戯球が通過する円形のガイド孔２を有し、遊戯球の通過を検知してスタートチャッカーＣの開閉を決めるミニデジタル器Ｂにスタート信号を送る近接スイッチ１２を挿入設置したゲートで、コ字形状としてベース１に取付けるようにしてある。前記ベース１のゲート３の直下のガイド孔２の中心線の対称位置に後述の流路変更板の先端を取付ける取付け孔１１を設ける。
【００１１】
４は正面で先端を先細として左右両面に遊戯球を左又は右に誘導する球より巾広の湾曲面、傾斜面の流路５を形成した合成樹脂製流路変更板で、その基部に貫通孔８を設け、ベース１の下部のガイド孔２の中心線上に、支軸のビス６を流路変更板の貫通孔８に前面より挿入してベース１の取付け孔９に螺合し、流路変更板４を支軸６に回動自由に支持し、図１および図４に示すように、この流路変更板４をガイド孔２の中心線より左側又は右側の対称位置まで所定角度傾斜させて位置決めし、しかる後、流路変更板の先端の取付け孔１０とベース１に設けた取付け孔１１とにビス７を裏面よりねじ込んで固定してある。
【００１２】
図１および図３において、前記流路変更板４は、両面を湾曲面の流路５とした分銅型とし、その下部の巾広部の中心を支軸６で枢支し、分銅を左向き又は右向きに所定角度傾斜してその先端をベース１にビス７で固定してある。流路変更板４の流路５は平坦な傾斜面では落下する球がほぼ同じ所に当ってを変更板自体に損傷を生ずることがあるが、湾曲面とすれば、落下する遊戯球がすべるように方向付けして排出されるので衝撃を和らげることができ、変更板の損傷を防ぐことができる。この流路変更板４の前面に凹部１８を形成して、例えば、意匠的デザインを施したシール１９を貼付け、正面側から挿入した支軸６のビス、ピンの頭部を隠して体裁を良くしてある。
【００１３】
前記実施例では支軸６をビスとしてあるが、これに限られるものではなく、前面よりピンを挿入してその後端にＥリングを嵌め付けて止めるようにすることもできる。上記実施例で支軸６としてビス、ピンを前面より挿入する場合を説明したが、これに限られるものではなく、ベースの背面より変更板に支軸６を流路変更板４を回動可能に軸支することもできる。
【００１４】
図５および図６において、流路変更板４とベース１との取付けの別の実施例を示す。図５では、一方のベース１の下部にガイド孔２の中心線上に支軸６を突設し、かつ流路変更板４には背面側に該支軸を挿入する挿入孔８’を穿設し、かつ上部に取付け孔１０を設け、而して流路変更板４の挿入孔８’をベース１の支軸６に嵌合して回動自由に枢支し、流路変更板４を左又は右に位置決め後ベースの取付け孔１１と変更板４の取付け孔１０をビス止めする。
【００１５】
図６では、流路変更板４の裏側上部に突起１６を設け、ベース１の左右の所定位置に突起１６を嵌合する挿入孔１７を穿設し、流路変更板４の上部の突起１６をベース１の挿入孔１７に嵌合し、流路変更板４を貫通孔８を通じてベース１にビスで固定するようにしてある。
【００１６】
また、流路変更板４の別の実施例として、図７に示すものは、前面の円盤状飾り板１５の背面中央に先細の流路変更板４を一体形成し、その飾り板１５の下方の流路変更板４の基部を支軸６で枢支し、該飾り板１５を回動して内部の流路変更板４を左又は右に所定角度傾斜させ、その先端をベース１にビス７で固定してある。
【００１７】
図８において、Ａは遊戯盤、Ｂはミニデジタル器、Ｃは中央スタートチャッカー、Ｄはセンター液晶デジタル装置、Ｅはアタッカーである。ゲートとチャッカー間の釘２０は斜めに多少ずらせ、かつ釘の間隔は球が通る間隔に配列でき、釘の配置のデザインに変化をもたせることができる。釘の間隔はこれに限られるものではなく、従来のように隣接して配列してもよい。図８の遊戯盤には本案に直接関連しない釘、役物等は省略した。
【００１８】
この発明によれば、遊戯盤の中央の役物、例えばセンター液晶デジタル装置Ｄの両側或いは片側に設けたゲート３のガイド孔２を遊戯球が通過すると、中央スタートチャッカーＣの開閉時間を決めるミニデジタル器Ｂの数字が変動し、所定の数字、例えば、３、７で止まると、中央スタートチャッカーＣが所定時間、例えば０．２〜１．９秒間開放され、ガイド孔２より落下して流路変更板４の左右に誘導する流路５に落ちて左又は右の方向ずけをして中央スタートチャッカーＣの方へ勢いをつけて排出させ、前記の所定時間開放された中央スタートチャッカーＣへ遊戯球を入賞させ、センター液晶デジタル装置Ｄの数字、絵等を変動させて停止させ、大当たりすると下部のアタッカーＥを所定時間、例えば約３０秒開放させる。
【００１９】
この発明によれば、流路変更板４をベース１の中心線に対し左側又は右側に所定角度傾斜させてビス７等の固定手段で固定する。遊戯球がゲート３を通過して落下するとき、流路変更板４の傾斜状流路５に落ちて横方向へ流出し、左又は右の方向ずけをして中央スタートチャッカーＣの方に勢いをつけて排出でき、ゲートとチャッカー間の釘２０の位置はある程度の間隔をあけても勢いで跳ねて中央チャッカーの方へ向かわせ、遊戯球がガイド孔を通過時にミニデジタル器Ｂの数字が所定の数字となった時、所定時間開放される中央スタートチャッカーＣに入賞しうるようにでき、他から落下する球は釘の間を通って落下して下方の入賞球受入れ口に入賞する機会もでき、入賞のチャンスを変化に富ませることができ、遊戯者の興趣を増大できる。
【００２０】
この発明によれば、共通のベースのガイド孔の直下に設ける流路変更板をスライドしてガイド孔の中心線の左又は右に傾斜して設置できるようにした流路変更板付ゲートを備えたので、左右の流路変更板を別々に作る必要がなく、左用、右用に変換して取付けでき、従って部品点数が少なく、製品を廉価に製造できる。パチンコ機によりゲートを設ける位置がセンター液晶デジタル装置等役物の両側、片側となる場合にそれに応じて流路変更板の傾斜を反対向きに変換するだけで左用又は右用に変えて設置できるので、流路変更板に無駄が生じることがなく、甚だ経済的である。
【図面の簡単な説明】
【００２１】
【図１】この発明の流路変更板付ゲートの正面図である。
【図２】同平面図である。
【図３】同斜視図である。
【図４】同縦断面図である。
【図５】流路変更板とベースとの取付けの別の実施例を示す縦断面図である。
【図６】流路変更板とベースとの取付けの別の実施例を示す縦断面図である。
【図７】別の流路変更板を取付けたゲートの正面図である。
【図８】この発明の流路変更板付ゲートを取付けたパチンコ遊戯盤の正面図である。
【図９】従来のパチンコ遊戯盤に取付けたゲートの正面図である。
【符号の説明】
【００２２】
１…ベース、２…ガイド孔、３…ゲート、４…流路変更板、５…流路、６…軸、７…ビス。
【図１】
2004237120.tif 000003
【図２】
2004237120.tif 000004
【図３】
2004237120.tif 000005
【図４】
2004237120.tif 000006
【図５】
2004237120.tif 000007
【図６】
2004237120.tif 000008
【図７】
2004237120.tif 000009
【図８】
2004237120.tif 000010
【図９】
2004237120.tif 000011